(57)【特許請求の範囲】
【請求項１】
片面に多数の係止用突起が設けられた面ファスナーを備え、上記係止用突起が二次覆工コンクリート側となるようにトンネルの地山又は一次覆工コンクリート面に固着されると共に、不透水性シートに上記係止用突起に係合される被係合部を有する透水性シートが積層された防水シートの上記被係合部と係合することにより、上記防水シートを係止する防水シートの固定用部材において、上記面ファスナーが帯状であって、該面ファスナーをトンネルの地山又は一次覆工コンクリート面に固着させる保持部材に取り付けたこと、及び、上記保持部材が帯状であって、上記面ファスナーが上記保持部材の二次覆工コンクリート側の面に重ね合わされていると共に、上記面ファスナーと上記保持部材とが長さ方向に沿って所定間隔離間した複数箇所でかしめ部材によって上記保持部材及び上記面ファスナーをほぼ１周もしくは１周させた後、更に余分に巻きつけてかしめて、又は、かしめ部材を二つ一組として上記保持部材及び上記面ファスナーを両端部で挟むようにかしめて取り付けられたこと、とを特徴とする防水シートの固定用部材。
【請求項２】
片面に多数の係止用突起が設けられた面ファスナーを備え、上記係止用突起が二次覆工コンクリート側となるようにトンネルの地山又は一次覆工コンクリート面に固着されると共に、不透水性シートに上記係止用突起に係合される被係合部を有する透水性シートが積層された防水シートの上記被係合部と係合することにより、上記防水シートを係止する防水シートの固定用部材において、上記面ファスナーが帯状であって、該面ファスナーをトンネルの地山又は一次覆工コンクリート面に固着させる保持部材に取り付けたこと、及び、上記保持部材が上記面ファスナーよりも幅が狭い帯状であると共に、上記面ファスナーに上記保持部材が挿通可能な切れ目が長さ方向に沿って所定間隔離間して複数設けられており、上記保持部材が上記面ファスナーの一の切れ目に一面側から他面側へ向けて挿通され、次の切れ目から一面側へ挿通されていくことによって、上記面ファスナーを上記保持部材に取り付けたこと、とを特徴とする防水シートの固定用部材。
【発明の詳細な説明】
【０００１】
【発明の属する技術分野】
本発明は、防水シートをトンネルの地山又は一次覆工コンクリート面に張設、固定する際に用いられる防水シートの固定用部材に関する。
【０００２】
【従来の技術及び発明が解決しようとする課題】
従来、トンネル工事においてトンネルの地中からの涌水が一次覆工コンクリート側から二次覆工コンクリートに漏水するのを防止するために、トンネルの地山又は一次覆工コンクリートと二次覆工コンクリートとの間に防水シートを介装することが行われており、防水シートとしては、例えば不織布等の透水性シートを不透水性シートの一面に積層したものが使用されている。そして、このような防水シートを地山又は一次覆工コンクリート面に固着させるには、例えば多数の係止用突起が片面に形成された面ファスナーの他面を同一平面形状の鉄板等の板状部材の一面に接着剤等で固着させ、上記係止用突起がトンネル内空側に向かうように地山又は一次覆工コンクリート等の施工壁面に配設して、上記板状部材をコンクリート釘等で打ち付けて複数枚の面ファスナーを一次覆工コンクリート面にできるだけトンネルの長さ方向又は周方向に沿って規則的に配設されるように点状に順次取り付けた後、上記防水シートを不織布側が地山又は一次覆工コンクリート面に対向するように配設し、作業員が防水シートの不透水性シート側から防水シートを各面ファスナーの係止用突起に順次押圧係止することによって、防水シートを一次覆工コンクリート面に張設、固着していた。
【０００３】
しかしながら、トンネルの地山や一次覆工コンクリート等の施工壁に上記面ファスナーを規則的に配設することは、実際上困難であり、そのため作業員が不透水性シート側から防水シートを押圧する際に、的確な位置を押圧することが困難となって、作業効率の低下の一因となっていた。更に、板状部材が平面板状であるのに対してトンネル地山は凹凸があって平坦ではないため、その取り付け位置によっては板状部材による施工壁に対する固着強度が不充分となって、防水シートが面ファスナー及び板状部材と共に脱落するおそれがあった。
【０００４】
また、従来の固定用部材の場合、防水シートの重さは面ファスナー、接着剤を介して固定板にかかるために、固定板と面ファスナーとの接着強度が充分ではないと、面ファスナーの釘で打ち付けられていない部分が固定板から剥離してしまい、その結果、釘の頭と面ファスナーの釘の頭で押さえられている部分の周辺部分とで防水シートの重さを支えることになり、釘の頭が面ファスナーを貫通して、防水シートが面ファスナーと共に脱落するおそれもあった。
【０００５】
本発明は、かかる事情に鑑みなされたもので、凹凸のある地山や一次覆工コンクリート面に防水シートを取り付ける際の作業効率に優れるのみならず、その固定強度にも優れる防水シートの固定用部材を提供することを目的とするものである。
【０００６】
【課題を解決するための手段】
本発明は、上記事情に鑑みなされたもので、片面に多数の係止用突起が設けられた面ファスナーを備え、上記係止用突起が二次覆工コンクリート側となるようにトンネルの地山又は一次覆工コンクリート面に固着されると共に、不透水性シートに上記係止用突起に係合される被係合部を有する透水性シートが積層された防水シートの上記被係合部と係合することにより、上記防水シートを係止する防水シートの固定用部材において、上記面ファスナーが帯状であって、該面ファスナーをトンネルの地山又は一次覆工コンクリート面に固着させる保持部材に取り付けたこと、及び、上記保持部材が帯状であって、上記面ファスナーが上記保持部材の二次覆工コンクリート側の面に重ね合わされていると共に、上記面ファスナーと上記保持部材とが長さ方向に沿って所定間隔離間した複数箇所でかしめ部材によって上記保持部材及び上記面ファスナーをほぼ１周もしくは１周させた後、更に余分に巻きつけてかしめて、又は、かしめ部材を二つ一組として上記保持部材及び上記面ファスナーを両端部で挟むようにかしめて取り付けられたこと、とを特徴とする防水シートの固定用部材を提供する。
【０００７】
ここで、上記保持部材が上記面ファスナーよりも幅が狭い帯状であると共に、上記面ファスナーに上記保持部材が挿通可能な切れ目が長さ方向に沿って所定間隔離間して複数設けられており、上記保持部材が上記面ファスナーの一の切れ目に一面側から他面側へ向けて挿通され、次の切れ目から一面側へ挿通されていくことによって、上記面ファスナーが上記保持部材に取り付けられたものであっても、より好適である。
【０００８】
即ち、本発明の防水シートの固定用部材は、トンネルの防水施工において防水シートをトンネルの地山又は一次覆工コンクリート面に張設する際に使用するものであり、この固定用部材を面ファスナーの係止用突起が二次覆工コンクリート側（トンネル内空側）となるように地山又は一次覆工コンクリート面に配設し、コンクリート釘等を打ち込んで固定した後、例えば不織布、織布、編物等のように上記係止用突起に係合する被係合部を有する透水性シートを不透水性シートに積層した防水シートをその透水性シート側が面ファスナーの係止用突起と対面するように展張すると共に、防水シートを適宜箇所で押圧して上記透水性シートの被係合部を面ファスナーの係止用突起に順次係合させていくことにより、透水性シートを介して防水シートを地山又は一次覆工コンクリート面に張設、固定するものである。
【０００９】
ここで、本発明の防水シートの固定用部材の場合、上記面ファスナーが帯状に形成されており、この面ファスナーを保持部材に取り付けたので、この固定用部材をトンネルの地山や一次覆工コンクリート等の施工壁に例えばトンネルの周方向に沿って、又はトンネルの長さ方向に沿って固着していくと、上記面ファスナーが施工壁に線状に配設された状態で固着されるので、作業員が不透水性シート側から防水シートを押圧する際に、面ファスナーの取り付け位置を的確に押圧することができる。
【００１０】
更に、トンネルの地山に凹凸があっても、本発明の固定用部材の場合、帯状の面ファスナーが取り付けられた保持部材にコンクリート釘等を打ち付けるなどの固定手段よって施工壁に固着させるので、施工壁の比較的平坦な部分を適宜箇所選んでコンクリート釘を打ち付けることができ、施工壁に固定用部材を充分な固着強度で取り付けることができる。
【００１１】
ここで、上記保持部材が帯状であって、上記面ファスナーが上記保持部材の二次覆工コンクリート側の面に重ね合わされていると共に、上記面ファスナーと上記保持部材とが長さ方向に沿って所定間隔離間した複数箇所でかしめ部材によって取り付けられたものであれば、例えば上記固定用部材をコンクリート釘を打ち込んで固着させる時に、かしめ部材の所にコンクリート釘を打ち込めば、上記面ファスナーは上記かしめ部材を介してコンクリート釘が打ち込まれた状態となるので、防水シートを固定した時にシートの自重によって面ファスナーが引っ張られることによって、コンクリート釘の頭が面ファスナーを貫通してしまうという事態を防止でき、一方、かしめ部材が取り付けられていない位置に釘を打ち込めば、上記面ファスナーはコンクリート釘とかしめ部材によって上記保持部材に固着、保持された状態となるので、その取り付け強度が優れたものとなり、防水シートを固定した時にシートの自重によって面ファスナーが防水シートを係止した状態でシートと共に保持部材から脱落するという事態を効果的に防止できるので、より好適である。
【００１２】
また、上記保持部材が上記面ファスナーよりも幅が狭い帯状であると共に、上記面ファスナーに上記保持部材が挿通可能な切れ目が長さ方向に沿って所定間隔離間して複数設けられており、上記保持部材が上記面ファスナーの一の切れ目に一面側から他面側へ向けて挿通され、次の切れ目から一面側へ挿通されていくことによって、上記面ファスナーが上記保持部材に取り付けられたものであると、固定用部材の一面側に上記面ファスナーと上記保持部材とが交互に表れた状態となるので、例えばこの固定用部材を施工壁に取り付ける際に、上記保持部材がトンネルの二次覆工コンクリート側（内空側）に表れている部分にコンクリート釘を打ち込めば、上記面ファスナーは上記保持部材を介してコンクリート釘が打ち込まれた状態となり、防水シートを固定した時にシートの自重によって面ファスナーが引っ張られることによって、コンクリート釘の頭が面ファスナーを貫通してしまうという事態を防止できるので、より好適である。
【００１３】
従って、本発明の防水シートの固定用部材は、凹凸のある地山や一次覆工コンクリート面に防水シートを取り付ける際の作業性に優れるのみならず、固定用部材自体の耐久強度にも優れ、更に防水シートの固定強度にも優れるものであり、防水シートをトンネルの地山又は一次覆工コンクリート面に張設、固定する固定用部材として好適に用いられる。
【００１４】
【発明の実施の形態及び実施例】
以下、本発明につき図面を参照して更に詳しく説明する。図１及び図２は本発明の防水シートの固定用部材の一構成例を説明するものであり、図１は、固定用部材１の平面図であり、図２は、固定用部材１の側面図である。この固定用部材１は、片面に多数の係止用突起２ａが設けられた帯状の面ファスナー２と、面ファスナー２の他面に重ね合わされた帯状の保持部材３（図２参照）とからなり、これら面ファスナー２と保持部材３とが、長手方向に沿って所定間隔離間して四箇所でかしめ部材４，４，４，４によってかしめられ、これによって上記面ファスナー２が上記保持部材３に取り付けられた状態となっている。
【００１５】
ここで、上記面ファスナー２としては、公知のものを使用することができ、その係止用突起としては、不織布、織布、編物等からなる防水シートの透水性シートに係合することができる限り、その形状が特に制限されるものではなく、例えば茸状のものやフック状のものが好適であり、これらの中でも特に茸状のものが係止力が大きいので、より好適である。
【００１６】
上記面ファスナー２の大きさは、特に制限されるものではないが、トンネルの施工壁に固着する時の作業性、取り扱い性などを考慮すれば、通常幅１０〜１００ｍｍ、長さ５００〜３，０００ｍｍ程度とすると、好適である。
【００１７】
上記保持部材３としては、コンクリート釘等を打ち込むことができ、面ファスナー２を強固に保持、固定することができる程度の剛性を有するものであれば、その材質等が特に制限されるものではなく、例えば帯鉄，帯銅等の金属製保持部材、合成樹脂製保持部材などを使用することができ、これらの中でも剛性に優れる金属製保持部材がより好適である。そして、その大きさは上記面ファスナー２の大きさに合わせて適宜選定することができ、通常厚さ０．４〜３ｍｍ程度であって、幅、長さは上記面ファスナーと同程度のものが好適である。
【００１８】
上記面ファスナー２を保持部材３に取り付けるかしめ部材４としては、これらを強固にかしめることができる程度の剛性を有するものであれば、その材質、大きさなどが特に制限されるものではなく、また、かしめる方法も上記保持部材３と面ファスナー２とを強固にかしめることができる限り、特に制限されるものではなく、例えば上記保持部材３及びこれに重ね合わせた面ファスナー２を覆ってほぼ１周するように巻回させてかしめてもよいが、二つ一組として上記保持部材３，面ファスナー２を両側端部で挟むようにかしめたり、上記保持部材３，面ファスナー２を１周させた後、更に余分に巻きつけてかしめることもでき、このようなかしめ部材４としては、例えば上記保持部材３と同様の材質，厚さの基材を上記保持部材３に重ね合わせた面ファスナー２の適宜長さ部分において係止用突起２ａ側の面から他面側に至るように、上記面ファスナー２，上記保持部材３の幅の０．３〜５倍程度の長さを有するように適宜大きさに裁断したものを好適に使用することができる。なお、図１，２では、このかしめ部材４を四個使用したが、本発明の固定用部材は、かしめ部材の個数、かしめ位置が制限されるものではなく、面ファスナー２の長さなどに合わせて適宜数のかしめ部材を適宜位置で使用することができる。
【００１９】
なお、上記固定用部材１によって固定される防水シート（図示せず）としては、例えばポリ塩化ビニル，ポリプロピレン，エチレン−酢酸ビニル共重合体，エチレン−アクリル酸共重合体，エチレン−ビチューメン共重合体等の合成樹脂製などの不透水性シートに、上記係止用突起が係合する被係合部を有する透水性シート、例えば不織布，織布，編物等からなる透水性シートが積層された防水シートを挙げることができ、この場合、上記透水性シートは、上記不透水性シートの全面に積層されている必要はなく、必要箇所に部分的に積層されたものであってもよい。
【００２０】
上記固定用部材１を用いて上記防水シートをトンネルの地山又は一次覆工コンクリート面に固定する方法の一例を以下に説明する。
【００２１】
まず、トンネルの内周又は長さに合わせて適宜数の固定用部材１を、それぞれ面ファスナー２の係止用突起２ａが二次覆工コンクリート打設側（トンネル内空側）となるように、トンネルの地山又は一次覆工コンクリートの表面などの施工壁に適宜対面させて、トンネルの周方向に沿って又は長さ方向に亘って、必要に応じて所定間隔離間させて配設し、それぞれかしめ部材４の部分、及び施工壁の表面の凹凸の程度によってはかしめ部材４の近傍などの適宜位置にコンクリート釘を打ち付けるなどの適宜手段によって、上記固定用部材１を固着させていき、次に、このようにして施工壁に取り付けられた上記固定用部材１とは別に更に適宜数の固定用部材１を先に固着しておいた上記固定用部材１とトンネルの長さ方向又は周方向に所定間隔離間させて同様に施工壁に取り付けていく。そして、施工壁の適宜範囲に上記固定用部材１を取り付けた後、上記防水シートを巻き戻して施工壁の表面に展張しながら、その透水性シートを各固定用部材１の面ファスナー２の係止用突起２ａに押圧して係合させることによって、上記防水シートをトンネルの施工壁の表面に張設、固定する。
【００２２】
上記固定用部材１によれば、このようにして防水シートをトンネルの地山又は一次覆工コンクリート面に張設、固定する際に、面ファスナー２が線状に規則的に配設されているので、作業員が防水シートを押圧して面ファスナー２に係合させる際に、適切な部分を押圧することができ、作業効率が良く、また、施工壁に凹凸があっても固定用部材１が長手方向に亘って固着されているので、その固着強度にも優れる。更に、上記固定用部材１は、かしめ部材４によって面ファスナー２と保持部材３とが複数箇所でかしめられているので、かしめ部材４がある部分にコンクリート釘を打ち込めば、コンクリート釘の頭が面ファスナー２を貫通することを防止できるので、防水シートの固定強度を更に向上させることができる。従って、上記固定用部材１は、トンネル内への地中からの湧水が一次覆工コンクリート側から二次覆工コンクリートに漏水するのを防止するトンネルの防水施工を行う際に有用である。
【００２３】
次に、本発明の防水シートの固定用部材の他の構成例を図３を用いて以下に説明する。図３は、固定用部材１’の平面図であり、この固定用部材１’の場合、帯状の面ファスナー２に、その長さ方向に沿って所定間隔離間して、複数の切れ目２ｂが設けられていると共に、保持部材３が面ファスナー２よりも幅が狭い帯状に形成されており、この保持部材３を面ファスナー２の一端側の上記切れ目２ｂから他端側の切れ目２ｂに至るまで、順繰りに面ファスナー２の一面側から他面側へ、他面側から一面側へと挿通させていくことによって、上記構成例の固定用部材１のようにかしめ部材を使用することなく、帯状の面ファスナー２を保持部材３に取り付けたものである。
【００２４】
上記面ファスナー２に設けられた切れ目２ｂは、その長さ、数、形成位置等が特に制限されるものではなく、面ファスナー２及び保持部材３の幅、長さなどによって適宜選定することができるが、固定用部材１’自体の強度などを考慮すれば、通常保持部材３の幅を面ファスナー２の幅の２／３〜３／１０程度となるように構成すると、好適である。また、固定用部材１’自体の強度及び防水シートを固定する際の効率などを考慮すれば、その形成数は、通常３〜１０本程度とし、形成位置は固定用部材１’を施工壁に取り付けた時、トンネル内空側となる面に交互に表れる面ファスナー２の長さが保持部材３の長さの２〜１５倍程度とすると好適である。
【００２５】
この固定用部材１’の場合、上記面ファスナー２と保持部材３とは、長さが同一であってもよいが、保持部材３の長さをやや長くしておくと、固定用部材１’を施工壁に固着させる際に、保持部材３の両端部にコンクリート釘を打ち付けることができるので、より好適である。また、保持部材３の各端部を、隣接する他の固定用部材１’の保持部材３の端部に連結可能となるように構成しても好適である。
【００２６】
上記固定用部材１’は、上記固定用部材１と同様に施工壁に配設した後、コンクリート釘をその適宜箇所に打ち込むことによって、上記固定用部材１と同様に施工壁に線状に固着させていくことができ、また、この固定用部材１’も保持部材３が表れている部分において、打ち込まれたコンクリート釘の頭が面ファスナー２を貫通することを防止できる。
【００２７】
なお、本発明の固定用部材は、上記構成に限定されるものではなく、本発明の要旨を逸脱しない範囲で種々変更して差し支えなく、例えば上記保持部材として板状のものを使用して、この板状の保持部材に帯状の上記面ファスナーを１本取り付けることもでき、また、複数本の上記面ファスナーを適宜間隔離間させて並行に取り付けることもできる。更に、例えば上記保持部材として巻き取り可能な材質からなるものを使用して、面ファスナー及び保持部材の長さを例えば１０〜３０ｍ程度の長い帯状のものとしても好適であり、この場合、施工現場への搬入がより行い易くなる。この場合、施工現場で保持部材を適宜長さに切断して使用することもできる。
【００２８】
【発明の効果】
本発明の防水シートの固定用部材は、防水シートをトンネルの地山又は一次覆工コンクリート面などの施工壁に張設、固定してトンネルの防水施工を行う際に、防水シートを張設、固定する際の作業性に優れるのみならず、施工壁に凹凸があっても防水シートの固定強度に優れ、また、固定用部材自体の強度にも優れるので、トンネルの防水施工に有用である。
【図面の簡単な説明】
【図１】本発明の一構成例を示す固定用部材の平面図である。
【図２】上記固定用部材の側面図である。
【図３】本発明の他の構成例を説明する固定用部材の平面図である。
【符号の説明】
１，１’  固定用部材
２  面ファスナー
２ａ  係止用突起
２ｂ  切れ目
３  保持部材
４  かしめ部材
【図１】
0004410334.tif 000002
【図２】
0004410334.tif 000003
【図３】
0004410334.tif 000004